(57)【要約】【課題】所望の波長の光を発生することを可能にする構造を有する光モジュールを提供する。【解決手段】光モジュール１ａは、発光ユニット３ａ及び波長選択ユニット３ｂを備える。発光ユニット３ａは、半導体光増幅素子５及びハウジング７を備える。ハウジング７は、半導体光増幅素子５を搭載する搭載部材１１を有する。コネクタ９は、ハウジング７に取り付けられている。波長選択ユニット３ｂは、光学素子２３、ハウジング２５、及びコネクタ２７を備えている。コネクタ２７は、ハウジング２７に取り付けられている。光学素子２３は、所定の波長成分の光を反射する。ハウジング２５は光学素子２３を収容する。コネクタ９は、コネクタ２７と着脱可能に互いに接続される。半導体光増幅素子５と光学素子２３とは光共振器を構成する。【選択図】　図１
2004128039.tif 000002
【特許請求の範囲】
【請求項１】
半導体光増幅素子、前記半導体光増幅素子を搭載する搭載部材を有する第１のハウジング、及び前記第１のハウジングに取り付けられた第１のコネクタを備える発光ユニットと、
所定の波長成分の光を反射する光学素子、前記光学素子を収容する第２のハウジング、及び前記第２のハウジングに取り付けられた第２のコネクタを備える波長選択ユニットと
を備え、
前記第１及び第２のコネクタの各々は、前記第１及び第２のコネクタの他方と着脱可能に互いに接続するための接続部を有しており、
前記半導体光増幅素子と前記光学素子とは光共振器を構成する光モジュール。
【請求項２】
半導体光増幅素子、第１のハウジング、及び前記第１のハウジングに取り付けられた第１のコネクタを有する発光ユニットと、
所定の波長成分の光を反射する光学素子、前記光学素子を収容する第２ハウジング、及び前記第２のハウジングに取り付けられた第２のコネクタを有する波長選択ユニットと
を備え、
前記半導体光増幅素子と前記光学素子とは光共振器を構成しており、
前記第１のハウジングは、
前記半導体光増幅素子を搭載する搭載部材を備え、
前記搭載部材上に位置する一端部、開口を有する他端部、及び前記一端部と前記他端部との間に設けられた側壁部を有する第１のガイド部材を備え、前記側壁部は所定の軸方向に伸びる第１の側面を有しており、
開口を有する一端部及び他端部、並びに前記一端部と前記他端部との間に設けられた側壁部を有する第２のガイド部材を備え、前記側壁部は前記所定の軸方向に伸びる第２の側面を有しており、前記第１の側面は前記第２の側面に沿って伸びており、
前記第１及び第２のコネクタの各々は、前記第１及び第２のコネクタの他方を着脱可能に互いに接続するための接続部を有する、光モジュール。
【請求項３】
前記光学素子は反射ミラーを含む、請求項１又は請求項２に記載の光モジュール。
【請求項４】
前記光学素子は波長選択性を示す多層膜を有する光学フィルタを含む、請求項１又は請求項２に記載の光モジュール。
【請求項５】
前記光学素子は、前記半導体光増幅素子に光学的に結合された一端、他端及び回折格子を有する光導波路部材を含み、前記回折格子は、前記一端と前記他端との間に位置している、請求項１又は２に記載の光モジュール。
【請求項６】
前記光導波路部材は、グレーティング光ファイバ及びフェルールを更に備え、
前記グレーティング光ファイバは、前記フェルール内に位置する第１の部分と、前記フェルール外に位置する第２の部分とを有しており、
前記回折格子は前記第１の部分に位置する、請求項５に記載の光モジュール。
【請求項７】
前記第１のハウジングは、第３のガイド部材を有しており、
前記第２のガイド部材の一端部は、所定の軸と交差する基準面に沿って伸びる搭載面を有しており、
前記第３のガイド部材は、前記第２のガイド部材の前記搭載面上に位置する一端部、前記波長選択ユニットの前記光学素子を受け入れる開口部を有する他端部、及び前記一端部と前記他端部との間に設けられた側壁部を有しており、前記側壁部は所定の軸方向に伸びる内側面を有している、請求項５又は請求項６に記載の光モジュール。
【請求項８】
所定の軸と交差するように設けられた一端面及び他端面を有しており前記第３のガイド部材内に位置決めされた光学部品を更に備え、
前記光学部品の一端面は、前記波長選択モジュールの前記光導波路部材の一端面が突き当て可能なように設けられており、前記光学部品の他端面は、前記半導体光増幅素子に光学的に結合されている、請求項７に記載の光モジュール。
【請求項９】
前記光学部品は前記光共振器内に設けられ所定の軸方向に伸びる側面を持つ別の光導波路部材を含む請求項７又は８に記載の光モジュール。
【請求項１０】
前記第１のハウジングは、前記別の光導波路部材の前記側面と前記第３のガイド部材の前記内側面との間にシール部材を更に備える、請求項９に記載の光モジュール。
【請求項１１】
前記搭載部材は、前記半導体光増幅素子に電気的に接続された端子と、前記端子が通過すると共に所定の軸方向に伸びる貫通孔とを有している、請求項１〜１０のいずれかに記載の光モジュール。
【請求項１２】
前記発光ユニットは、前記半導体光増幅素子と光学的に結合された光ファイバを更に備え、
前記半導体光増幅素子は、第１及び第２の端面を有しており、前記第１の端面は前記光学素子に光学的に結合されており、前記第２の端面は前記光ファイバに光学的に結合されている、請求項１〜１０のいずれかに記載の光モジュール。
【請求項１３】
前記発光ユニットは、前記光ファイバを保持するフェルールを更に備え、
前記第１のハウジングは、前記フェルールを収容する領域を提供する内側面を有する第４のガイド部材と、前記搭載部材を収容する容器とを更に備え、
前記容器は、前記第１のガイド部材と前記第４のガイド部材との間に設けられている、請求項１２に記載の光モジュール。
【請求項１４】
前記波長選択ユニットは、前記光導波路部材と前記第２のハウジングとの間に設けられた弾性部材を更に備える、請求項５から請求項１０のいずれかに記載の光モジュール。
【請求項１５】
前記半導体光増幅素子は、前記光学素子に光学的に結合された一端面、及び前記一端面に対向する他端面を有しており、
前記半導体光増幅素子は、前記一端面上に設けられた反射防止膜を有する、請求項１〜１０のいずれかに記載の光モジュール。
【請求項１６】
前記光学部品の他端面は反射防止膜を有する、請求項８に記載の光モジュール。
【請求項１７】
前記光学部品の他端面は、前記所定の軸に対して傾斜している、請求項８に記載の光モジュール。
【請求項１８】
前記光学部品の一端面は、凸曲面を有している、請求項８に記載の光モジュール。
【請求項１９】
所定の波長成分の光を反射する光学素子と、
前記光学素子を収容するハウジングと、
前記ハウジングに取り付けられたコネクタと
を備え、
前記コネクタは、発光ユニットに含まれる半導体光増幅素子と前記光学素子とが光共振器を構成できるように、前記発光ユニットのコネクタに着脱可能に接続するための接続部を有する、波長選択ユニット。
【請求項２０】
半導体光増幅素子と、
ハウジングと、
前記ハウジングに取り付けられたコネクタを備え、
前記コネクタは、波長選択ユニットに含まれる光学素子と前記半導体光増幅素子とが光共振器を構成できるように、前記波長選択ユニットのコネクタに着脱可能に接続するための接続部を有しており、
前記ハウジングは、
前記半導体光増幅素子を搭載する搭載部材を備え、
前記搭載部材上に位置する一端部、開口を有する他端部、及び前記一端部と前記他端部との間に設けられた側壁部を有する第１のガイド部材を備え、前記側壁部は所定の軸方向に伸びる第１の側面を有しており、
開口を有する一端部、開口を有する他端部、及び前記一端部と前記他端部との間に設けられた側壁部を有する第２のガイド部材を備え、前記側壁部は前記所定の軸方向に伸びる第２の側面を有しており、前記第１の側面は前記第２の側面に沿って伸びている、発光ユニット。
【発明の詳細な説明】
【０００１】
【発明の属する技術分野】
本発明は、光モジュール、波長選択ユニット、及び発光ユニットに関する。
【０００２】
【従来の技術】
光通信の分野では、光源として光モジュールが用いられている。光モジュールは、信号光を発生する光源として働いており、或いは、光信号を増幅する光増幅器のための光源として働いている。
【０００３】
【発明が解決しようとする課題】
発明者らは、光モジュールを研究している。この研究によれば、光モジュールの分野において求められていることは、所望の波長の光を発生することを可能にする構造を有する光モジュールを提供することである。そこで、発明者らは、所望の波長の光を発生する光モジュールの構造を検討している。この検討により、光を発生する発光ユニットと、波長選択ユニットとを含む構造を有する光モジュールという着想を得た。
【０００４】
本発明の目的は、所望の波長の光を発生することを可能にする構造を有する光モジュールを提供することであり、光モジュールのための波長選択ユニット及び発光ユニットを提供することとする。
【０００５】
【課題を解決するための手段】
本発明の一側面は、光モジュールである。光モジュールは、発光ユニット及び波長選択ユニットを備える。発光ユニットは、半導体光増幅素子及び第１のハウジングを備える。第１のハウジングは、半導体光増幅素子を搭載する搭載部材を有する。第１のコネクタは第１のハウジングに取り付けられている。波長選択ユニットは、光学素子、第２のハウジング、及び第２のコネクタを備えている。第２のコネクタは第２のハウジングに取り付けられている。光学素子は、所定の波長成分の光を反射する。第２のハウジングは、光学素子を収容する。第１及び第２のコネクタの各々は、第１及び第２のコネクタの他方と着脱可能に互いに接続するための接続部を有している。半導体光増幅素子と光学素子とは光共振器を構成する。
【０００６】
光モジュールは、半導体光増幅素子と第１のコネクタとを備える発光ユニット、光学素子と第２のコネクタとを備える波長選択ユニットを含んでおり、これ故に、所望の波長の光を発生することを可能にする構造を備えている。
【０００７】
本発明の別の側面は、光モジュールである。光モジュールは、発光ユニットと、波長選択ユニットとを備える。発光ユニットは、半導体光増幅素子、第１のハウジング、及び第１のコネクタを有する。波長選択ユニットは、所定の波長成分の光を反射する光学素子、並びに、光学素子を収容する第２ハウジングを有する。第２のコネクタは第２のハウジングに取り付けられている。半導体光増幅素子と光学素子とは、光共振器を構成している。第１のハウジングは、搭載部材と、第１のガイド部材と、第２のガイド部材とを備える。搭載部材は、半導体光増幅素子を搭載する。第１のガイド部材は、一端部、他端部、及び側壁部を有する。第１のガイド部材においては、一端部は搭載部材上に位置しており、他端部は開口を有しており、側壁部は一端部と他端部との間に設けられている。第１のガイド部材の側壁部は、所定の軸方向に伸びる第１の側面を有している。第２のガイド部材は、開口を有する一端部、開口を有する他端部、及び一端部と他端部との間に設けられた側壁部を有する。第２のガイド部材においては、一端部及び他端部は開口を有している。第２のガイド部材の側壁部は、一端部と他端部との間に設けられており、所定の軸方向に伸びる第２の側面を有している。第１のガイド部材の第１の側面は第２のガイド部材の第２の側面に沿って伸びている。第１及び第２のコネクタの各々は、第１及び第２のコネクタの他方を着脱可能に互いに接続するための接続部を有している。
【０００８】
光モジュールにおいては、第１のガイド部材の第１の側面と第２のガイド部材の第２の側面は所定の軸方向に伸びており、第１の側面は第２の側面と対面している。第１のガイド部材及び第２のガイド部材の一方を他方に対して所定の軸方向に移動できる。故に、発光ユニット及び波長選択ユニットを備える光モジュールにおいて、発光ユニットと波長選択ユニットとの距離を調整できる。
【０００９】
この光モジュールにおいては、光学素子はいくつかの形態を有する。光学素子はハーフ反射ミラーを含むことができる。また、光学素子は波長選択性を示す多層膜を有する光学フィルタを含むことができる。さらに、光学素子は、一端、他端及び回折格子を有する光導波路部材を含むことができる。一端は、半導体光増幅素子に光学的に結合されている。回折格子は、一端と他端との間に位置している。また更に、光導波路部材はグレーティング光ファイバを含むことができる。
【００１０】
グレーティング光ファイバを含む光導波路部材においては、光導波路部材はフェルールを更に備えており、グレーティング光ファイバは、フェルール内に位置する第１の部分と、フェルール外に位置する第２の部分とを有している。回折格子は、第１の部分に位置している。
【００１１】
本発明に係わる光モジュールにおいては、第１のハウジングは、第３のガイド部材を有している。第２のガイド部材の一端部は、所定の軸と交差する基準面に沿って伸びる搭載面を有する。第３のガイド部材は、一端部、他端部、及び側壁部を有している。第３のガイド部材において、一端部は第２のガイド部材の搭載面上に位置しており、他端部は波長選択ユニットの光学素子を受け入れる開口を有する。第３のガイド部材の側壁部は、一端部と他端部との間に設けられており、所定の軸方向に伸びる内側面を有している。
【００１２】
第３のガイド部材の一端部は第２のガイド部材の搭載面上に位置しているので、光モジュールは、第３のガイド部材を第２のガイド部材に対して基準面の方向に関して位置決めできる構造を備える。
【００１３】
本発明に係わる光モジュールは、光学部品を更に備えることができる。光学部品は、所定の軸と交差するように設けられた一端面及び他端面を有しており、第３のガイド部材内に位置決めされている。光学部品の一端面は、波長選択モジュールの光導波路部材の一端面が突き当て可能なように設けられており、光学部品の他端面は、半導体光増幅素子に光学的に結合されている。光学部品によれば、波長選択モジュールの光導波路部材を発光ユニットに対して位置決めできる構造が提供される。
【００１４】
本発明に係わる光モジュールにおいては、発光ユニットは、スリーブを更に備えることができる。スリーブは、第３のガイド部材内に位置しており光学部品を保持する。スリーブは、光学部品を位置決めするために役立つ。
【００１５】
本発明に係わる光モジュールにおいては、光学部品は、所定の軸方向に伸びる側面を有する別の光導波路部材を含む。別の光導波路部材は半導体光増幅素子と光導波路部材との間に設ければ、光共振器長を短くするために役立つ。
【００１６】
本発明に係わる光モジュールにおいては、第１のハウジングは、別の光導波路部材の側面と第３のガイド部材の内側面との間にシール部材を更に備えることができる。シール部材は、別の光導波路部材の側面と第３のガイド部材の内側面との間を気密に封止するために役立つ。
【００１７】
本発明に係わる光モジュールは、下記のような形態を備えることができる。
【００１８】
一形態によれば、搭載部材は、半導体光増幅素子に電気的に接続された端子と、端子が通過すると共に所定の軸方向に伸びる貫通孔とを有することができる。当該光モジュールで発生された光は、光導波路部材を介して提供される。
【００１９】
別の形態によれば、発光ユニットは、半導体光増幅素子と光学的に結合された光ファイバを更に備えることができる。半導体光増幅素子は、一対の端面を有しており、一方の端面は、光学素子に光学的に結合されており、他方の端面は、光ファイバと光学的に結合されている。この形態では、当該光モジュールにおいて発生された光は、光ファイバを介して提供される。また、この形態においては、発光ユニットは、光ファイバを保持するフェルールを更に備えることができる。第１のハウジングは、第４のガイド部材と、容器とを更に備えることができる。第４のガイド部材は、フェルールを収容する領域を規定する内側面を有する。容器は、搭載部材を収容する。容器は、第１のガイド部材と第４のガイド部材との間に設けられている。光モジュールでは、波長選択ユニットは、容器の一方の側に配置されており、光ファイバは、容器の他方の側に配置されている。
【００２０】
本発明に係わる光モジュールにおいては、波長選択ユニットは、光導波路部材と第２のハウジングとの間に設けられた弾性部材を更に備えることができる。弾性部材は、光導波路部材に対して弾性力を作用するので、光導波路部材を発光ユニットに対して光学的に結合するために役立つ。
【００２１】
本発明に係わる光モジュールにおいては、半導体光増幅素子は、光学素子に光学的に結合された一端面、及び一端面に対向する他端面を有している。半導体光増幅素子は、一端面上に設けられた反射防止膜を有する。
【００２２】
本発明に係わる光モジュールは、望まれない光共振器の光反射率を抑制するために、以下のようないくつかの形態を備えることができる。光学部品の他端面は反射防止膜を有することができる。また、光学部品の他端面は、所定の軸に対して傾斜しているようにしてもよい。
【００２３】
本発明に係わる光モジュールにおいては、光学部品の一端面は凸曲面を有することができる。この曲面によれば、光学部品の一端面が光導波路部材にフィジカルコンタクトを実現できる。
【００２４】
本発明の更なる別の側面は、波長選択ユニットに係わる。波長選択ユニットは、所定の波長成分の光を反射する光学素子と、光学素子を収容するハウジングと、ハウジングに取り付けられたコネクタとを備える。この波長選択ユニットでは、コネクタは、発光ユニットに含まれる半導体光増幅素子と光学素子とが光共振器を構成するように、当該コネクタを発光ユニットのコネクタに着脱可能に接続するための接続部を有する。この構成によれば、所望の波長の光を発生可能にする構造を有する光モジュールのための波長選択ユニットが提供される。
【００２５】
本発明のまた更なる別の側面は、発光ユニットに係わる。発光ユニットは、半導体光増幅素子と、ハウジングと、ハウジングに取り付けられたコネクタを備える。このコネクタは、波長選択ユニットに含まれる光学素子と半導体光増幅素子とが光共振器を構成するように、当該コネクタを波長選択ユニットのコネクタに着脱可能に接続するための接続部を有している。ハウジングは、搭載部材と、第１のガイド部材と、第２のガイド部材とを備える。搭載部材は、半導体光増幅素子を搭載する。第１のガイド部材は、搭載部材上に位置する一端部、開口を有する他端部、及び一端部と他端部との間に設けられた側壁部を有する。側壁部は、所定の軸方向に伸びる第１の側面を有している。第２のガイド部材は、開口を有する一端部、開口を有する他端部、及び一端部と他端部との間に設けられた側壁部を有する。側壁部は、所定の軸方向に伸びる第２の側面を有している。第１のガイド部材の第１の側面は、第２のガイド部材の第２の側面に沿って伸びている。この構成によれば、所望の波長の光を発生することを可能にする構造を有する光モジュールのための発光ユニットが提供される。
【００２６】
本発明の上記の目的および他の目的、特徴、並びに利点は、添付図面を参照して進められる本発明の好適な実施の形態の以下の詳細な記述から、より容易に明らかになる。
【００２７】
【発明の実施の形態】
本発明の知見は、例示として示された添付図面を参照して以下の詳細な記述を考慮することによって容易に理解できる。引き続いて、添付図面を参照しながら、本発明の光モジュールに係わる実施の形態を説明する。可能な場合には、同一の部分には同一の符号を付する。
【００２８】
（第１の実施の形態）
図１は、本実施の形態に係わる光モジュールを示す一部破断図である。光モジュール１ａは、発光ユニット３ａと、波長選択ユニット３ｂとを備える。図２は、発光ユニットを構成する部品を示す図面である。発光ユニット３ａは、半導体光増幅素子５と、第１のハウジング７と、第１のコネクタ９とを有する。第１のコネクタ９は第１のハウジング７に取り付けられている。第１のコネクタ９は、第２のコネクタ２７に着脱可能に接続するための接続部９ａを有している。図３は、波長選択ユニットを構成する部品を示す図面である。波長選択ユニット３ｂは、所定の波長成分の光を反射すると共に所定の波長成分の光を透過する光学素子２３、光学素子２３を収容する第２ハウジング２５、並びに第２のコネクタ２７を備える。第２のコネクタ２７は第２のハウジング２５に取り付けられている。第２のコネクタ２７は、第１のコネクタ９に着脱可能に接続するための接続部２７ａを有している。
【００２９】
図４（ａ）〜図４（ｅ）は、光モジュールに適用可能な光学素子のいくつかの形態を示す図面である。図４（ａ）を参照すると、半導体光増幅素子５は、一対の端面５ａ及び５ｂ、並びに端面５ａと端面５ｂとの間に設けられた活性層５ｃを有する。半導体光増幅素子５では、一端面５ｂの反射率は、一端面５ｂに対向する他端面５ａの反射率より小さい。好適な実施例では、一端面５ｂの反射率は、０．１パーセント以下である。この反射率を実現するために、半導体光増幅素子５は、一端面５ｂ上に設けられた反射防止膜５ｄを有することができる。活性層５ｃは、例えばＧａＩｎＡｓＰ半導体層を含むことができる。
【００３０】
図４（ｂ）に示されるように、図３に示された波長選択ユニット３ｂは、光学素子２３として、グレーティング光ファイバ２３ａといった光導波路部材を含む。グレーティング光ファイバ２３ａは、一端２３ｂ及び他端２３ｃを有している。また、グレーティング光ファイバ２３ａは、コア部２３ｄと、コア部２３ｄの回り設けられたクラッド部２３ｅを有する。グレーティング光ファイバ２３ａは、一端２３ｂと他端２３ｃとの間のコア部２３ｄに回折格子２３ｆを有する。半導体光増幅素子５と回折格子２３ｆとは、光モジュール１ａのための光共振器Ｃａｖ１を構成している。出力光ＬＯＵＴ１は、グレーティング光ファイバ２３ａの他端２３ｃから提供される。図４（ｃ）を参照すると、光モジュール１ｂでは、光学素子２３は、ハーフミラー又は全反射ミラーといった反射ミラー２４ｂが用いられている。ハーフミラー又は全反射ミラーは、半導体光増幅素子のいずれの端面から出力光の取り出すかに応じて選ばれる。光モジュール１ｂでは、端面５ａと反射ミラー２４ｂとから光共振器Ｃａｖ２が構成される。図４（ｄ）を参照すると、光モジュール１ｃでは、光学素子２３は、波長選択性を示す多層膜を有する光学フィルタ２４ｃを含む。光モジュール１ｃでは、端面５ａと光学フィルタ２４ｃとから光共振器Ｃａｖ３が構成される。図４（ｅ）を参照すると、光モジュール１ｄでは、光学素子２３は回折格子２６を含む。回折格子２６は、例えば、光導波路部材２６ａ内に設けられることができる。光導波路部材２６ａは、半導体光増幅素子５に光学的に結合された一端面２６ｂ、及び他端面２６ｃを有する。光導波路部材２６ａは、例えばガラスから形成される。回折格子２６は、一端面２６ｂと他端面２６ｃとの間に位置している。光モジュール１ｄでは、端面５ａと回折格子２６とから光共振器Ｃａｖ４が構成される。
【００３１】
図５は、図２に示されたＩ−Ｉ線に沿って取られ発光ユニットを示す断面図である。図２及び図５を参照しながら、発光ユニット３ａを更に詳細に説明する。第１のハウジング７は、搭載部材１１と、レンズ保持部材１３と、第１のガイド部材１５と、第２のガイド部材１７と、第３のガイド部材１９とを備える。
【００３２】
搭載部材１１は、所定の軸に交差する搭載面１１ａ及び端子面１１ｂを備える。搭載面１１ａは、端子面１１ｂに対向している。搭載面１１ａは、レンズ保持部材１３を搭載できるように設けられている。搭載面１１ａは、また、半導体光増幅素子５を搭載する第１の搭載部１１ｃと、半導体受光素子３１を搭載する第２の搭載部１１ｄとを有する。半導体光増幅素子５は、サブマウントといった搭載部品を介して第１の搭載部１１ｃ上に配置されている。半導体受光素子３１は、サブマウントといった搭載部品を介して第２の搭載部１１ｄ上に配置されている。半導体受光素子３１は、半導体光増幅素子５からの光をモニタする。搭載部材１１は、所定の軸方向に伸びる一または複数の貫通孔１１ｅと、これらの貫通孔を通過するリード端子１１ｆ、１１ｇ、１１ｈとを有する。半導体光増幅素子５は、ボンディングワイヤ３３ａを介してリード端子１１ｆに電気的に接続されている。半導体受光素子３１は、ボンディングワイヤ３３ｂを介してリード端子１１ｇに電気的に接続されている。
【００３３】
レンズ保持部材１３は、一端部１３ａと、他端部１３ｂと、側壁部１３ｃと、保持部１３ｄとを有する。側壁部１３ｃは、所定の軸方向に伸び一端部１３ａと他端部１３ｂとの間に設けられており、側壁部１３ｃの長さは、レンズ３５の焦点距離と関連づけられている。保持部１３ｄは、他端部１３ｂに位置しておりレンズ３５を保持しており、また所定の軸方向に伸びておりレンズ３５を受け入れる領域を規定する側面１３ｅを有している。一端部１３ａは、矢印Ａが示すように、搭載部材１１の搭載面１１ａ上に位置する。レンズ３５は、例えば球レンズであり、その直径は１ミリメートル以下である。レンズ３５の屈折率は、例えば１．８以上であることが好ましい。好適な実施の形態では、レンズ３５は非球面レンズである。
【００３４】
第１のガイド部材１５は、一端部１５ａ、他端部１５ｂ、及び側壁部１５ｃを有する。一端部１５ａ及び他端部１５ｂは、半導体光増幅素子５からの光が通過する開口を有しており、側壁部１５ｃは一端部１５ａと他端部１５ｂとの間に設けられている。第１のガイド部材１５の側壁部１５ｃは、所定の軸方向に伸びる内側面１５ｄ及び外側面１５ｅを有する。一端部１５ａは、矢印Ｂが示すように、搭載部材１１上に位置している。
【００３５】
第２のガイド部材１７は、一端部１７ａ、他端部１７ｂ、及び側壁部１７ｃを有する。一端部１７ａ及び他端部１７ｂは開口を有している。側壁部１７ｃは、一端部１７ａと他端部１７ｂとの間に設けられており、所定の軸方向に伸びる内側面１７ｄ及び外側面１７ｅを有している。第２のガイド部材１７の他端部１７ｂは、所定の軸と交差する基準面に沿って伸びる搭載面１７ｆを有する。第２のガイド部材１７の内側面１７ｄ及び外側面１７ｅのうちの一方の側面は、第１のガイド部材１５の内側面１５ｄ及び外側面１５ｅのうちの他方の側面と対面することができる。本実施の形態では、光モジュール１ａは、矢印Ｃが示すように、第２のガイド部材１７の内側面１７ｄが第１のガイド部材１５の外側面１５ｅに対面する構造を有する。この構造によれば、第２のガイド部材１７は、搭載部材１１に固定された第１のガイド部材１５に対して、所定の軸方向に関して移動可能である。この構造は、半導体光増幅素子５が搭載されている搭載部材１１に対して、ハウジング７に取り付けられるコネクタ９の位置及び光共振器長を調整できる。故に、光モジュール１ａは、発光ユニット３ａの半導体光増幅素子と波長選択ユニット３ｂの光学素子との間の距離を所定の軸方向に関して調整できる構造を有する。
【００３６】
第１のハウジング７は、第３のガイド部材１９を有する。第３のガイド部材１９は、一端部１９ａ、他端部１９ｂ、及び側壁部１９ｃを有している。一端部１９ａ及び他端部１９ｂの各々は、開口を有する。他端部１９ｂの開口は、波長選択ユニット３ｂの光学素子２３を受け入れできるように設けられている。側壁部１９ｃは、一端部１９ａと他端部１９ｃとの間に設けられている。一端部１９ａの位置合わせ面１９ｅは、矢印Ｄが示すように、第２のガイド部材１７の搭載面１７ｆ上に位置しているので、光モジュールは、所定の軸に交差する基準面の方向に関して第３のガイド部材１９を第２のガイド部材１７に対して位置決めできる構造を備える。
【００３７】
光モジュール１ａの発光ユニット３ａは、光学部品２１を更に備えることができる。第３のガイド部材１９において、側壁部１９ｃは、所定の軸方向に伸びる内側面１９ｄを有している。内側面１９ｄは、光学部品２１を受け入れる領域を規定している。内側面１９ｄは、凹部１９ｆを有する。
【００３８】
光学部品２１は、第３のガイド部材１９内に配置されている。光学部品２１は、光学素子２３と半導体光増幅素子６との間に位置しており、光共振器内に設けられている。光学部品２１は、所定の軸と交差するように設けられた一端面２１ａ及び他端面２１ｂを有している。光学部品２１は、半導体光増幅素子５からの光を透過可能な材料で形成されている。光学部品２１の一端面２１ａは、波長選択モジュール３ｂの光学素子２３の一端面に光学的に結合されており、光学部品２１の他端面２１ｂは、発光ユニット３ａの半導体光増幅素子５に光学的に結合されている。光学部品２１の一端面２１ａは、波長選択モジュール３ｂの光導波路部材といった光学素子２３の一端面が突き当て可能なように設けられている。光学部品２１によれば、波長選択モジュール３ｂの光学素子２３を発光ユニット３ａに対して位置決めできる。
【００３９】
本実施の形態に係わる光モジュール１ａは、望まれない光共振器の光反射率を抑制するために、以下のようないくつかの形態を備えることができる。光学部品２１の他端面２１ｂは反射防止膜２１ｄを有することができる。また、光学部品２１の他端面２１ｂは、所定の軸に対して角度αで傾斜していてもよい。
【００４０】
好適な実施の形態では、光学部品２１の一端面２１ａは凸曲面を有することができる。この曲面によれば、光学部品２１に対して軸ずれが存在する場合でも、光学素子２３が、光学部品２１の一端面２１ａにフィジカルコンタクトを実現するために役立つ。また、光学部品２１は、所定の軸と交差するように設けられた一端面（端面２１ａ）、他端面（端面２１ｂ）、及び側面（側面２１ｃ）を有するガラススタブであることができる。側面は、一端面と他端面との間において所定の軸方向に伸びている。ガラススタブは、例えば、ガラスから作製されることができる。ガラススタブは、光学素子２３と半導体光増幅素子６との間に相対的に屈折率の高い媒体を提供する。このガラススタブを半導体光増幅素子と光学素子との間に設ければ、光共振器の光学的な長さを短縮するために役立つ。ガラススタブの屈折率は、例えば、１．４４以上１．４８以下であることが好ましい。ガラススタブの長さは、例えば８ミリメートル程度であり、共振器全長とガラススタブの物理長との比は（共振器全長）／（ガラススタブの物理長）＝１０／８程度である。ガラススタブの幅と長さとの比は（ガラススタブの幅）／（ガラススタブの長さ）＝２．５／８程度である。
【００４１】
本実施の形態に係わる光モジュール３ａにおいては、第１のハウジング７は、ガラススタブといった光学部品２１の側面２１ａと第３のガイド部材１９の内側面１９ｄとの間にシール部材３７を更に備えることができる。シール部材３７は、ガラススタブといった光学部品２１の側面２１ｃと第３のガイド部材１９の内側面１９ｄとの間を気密に封止するために役立つ。シール部材３７としては、半田、エポキシ樹脂が例示される。
【００４２】
発光ユニット３ａは、割スリーブといったスリーブ２９を更に備えることができる。スリーブ２９は、第３のガイド部材１９ｅの凹部１９ｆ内に位置する。スリーブ２９は、光学部品２１を保持する。スリーブ２９は、光学部品２１を第３のガイド部材１９に位置決めするために役立つ。
【００４３】
コネクタ９は、ハウジング７に取り付けられる。本実施の形態では、第２のコネクタ９は、取り付け部１９ｅを有しており、取り付け部１９ｅは、矢印Ｅに示されるように、搭載面１７ｆに位置合わせされたガイド部材１７に取付部１７ｇに取り付けられる。コネクタ９は、第２のガイド部材１７を介してハウジング７に位置決めされる。コネクタ９は、第３のガイド部材１９が挿入される孔９ｄを有する。第３のガイド部材１９は、孔９ｄに挿入されると、一対の接続部９ａの間に位置する。各接続部９ａは、所定の軸方向に伸びる腕部９ｂと、腕部９ｂの一端に設けられたラッチ部９ｃを有する。
【００４４】
図６は、図３に示されたＩＩ−ＩＩ線に沿って取られ波長選択ユニットを示す断面図である。次いで、図３及び図６を参照しながら、波長選択ユニット３ｂを詳細に説明する。波長選択ユニット３ｂは、所定の波長成分の光を反射すると共に所定の波長成分の光を透過する光学素子２３と、光学素子２３を収容するハウジング２５と、ハウジング２５に取り付けられたコネクタ２７とを備える。
【００４５】
ハウジング２５は、第１の位置合せ部材４１と、第２の位置合せ部材４３と、第３の位置合せ部材４５とを備える。本実施の形態では、光学素子２３は、グレーティング光ファイバ４７と、フェルール４９とを有する。グレーティング光ファイバ４７は、一端４７ａ及び他端４７ｂを有しており、一端４７ａは、フェルール４９の一端面４９ａに現れている。また、グレーティング光ファイバ４７は、第１の部分４７ｃと、第２の部分４９ｄとを有している。第１の部分４７ｃは、フェルール４９内に位置している。回折格子４７ｅは、第１の部分４７ｃに設けられている。第２の部分４９ｄは、フェルール４９の他端面４９ｂから伸び出して、フェルール４９外に位置する。
【００４６】
第１の位置合せ部材４１は、一端部４１ａ、他端部４１ｂ、及び側壁部４１ｃを有する。一端部４１ａ及び他端部４１ｂは、開口を有している。側壁部４１ｃは、一端部４１ａと他端部４１ｂとの間に設けられており、所定の軸方向に伸びている。第１の位置合せ部材４１の内側面は、第１のガイド面４１ｄ、第１の位置決め面４１ｅ、及び第２のガイド面４１ｆから構成される。第１のガイド面４１ｄは、所定の軸方向に沿って伸びており、フェルール４９の他端部が収容される領域を規定すると共にフェルール４９が挿入される方向をガイドしている。フェルール４９は、矢印Ｆに示されるように、フェルールホルダといった第１の位置合せ部材４１に第１のガイド面４１ｄに沿って挿入されると、フェルール４９の端面４９ｂは、所定の軸に交差する基準平面に沿って伸びる位置決め面４１ｅに突き当たり、これにより位置決めされる。フェルール４９の端面４９ｂから伸び出す光ファイバ４７ｄは、所定の軸方向に沿って伸びる第２のガイド面４１ｆに沿って伸びて、第１の位置合せ部材４１の他端４１ｂに到達する。第１の位置合せ部材４１の外側面は、第３のガイド面４１ｇ、第２の位置決め面４１ｈ、及び第４のガイド面４１ｉから構成される。第３のガイド面４１ｇは、所定の軸方向に沿って伸びており、第３の位置合せ部材４５との位置合わせのために利用される。第４のガイド面４１ｉは、弦巻バネといった弾性体５３をガイドするように所定の軸方向に沿って伸びている。弾性体５３は、矢印Ｇに示されるように、第１の位置合せ部材４１に第１のガイド面４１ｉに沿って挿入されると、所定の軸に交差する基準平面に沿って伸びる位置決め面４１ｈに突き当たり、これにより、第１の位置合せ部材４１に取り付けられる。図３及び図６に示された波長選択ユニット３ｂでは、弾性体５３が第４のガイド面４１ｉの回りに巻き回されて、弦巻バネを形成している。弾性体５３は、第２の位置決め面４１ｈに突き当てられており、この面４１ｈを介して第１の位置合せ部材４１に弾性力を加える。
【００４７】
第２の位置合せ部材４３は、一端部４３ａ、他端部４３ｂ、及び側壁部４３ｃを有する。一端部４３ａ及び他端部４３ｂは、開口を有している。側壁部４３ｃは、一端部４３ａと他端部４３ｂとの間に設けられており、所定の軸方向に伸びている。第２の位置合せ部材４３の内側面は、第１のガイド面４３ｄ及び第１の位置決め面４３ｅから構成される。第１のガイド面４３ｄは、所定の軸方向に沿って伸びており、弾性体５３を収容する領域を提供すると共に弾性体５３の向きを規定している。弾性体５３は、矢印Ｈに示されるように、第２の位置合せ部材４３に第１のガイド面４３ｄに沿って挿入されると、所定の軸に交差する基準平面に沿って伸びる位置決め面４３ｅに突き当たり、これにより、第２の位置合せ部材４３に取り付けられる。弾性体５３は、位置決め面４１ｈと位置決め面４３ｅとの間に位置しており、位置決め面４１ｈと位置決め面４３ｅとから圧縮力を受けている。第２の位置合せ部材４３の外側面は、第２のガイド面４３ｆを備える。第２のガイド面４３ｆは、所定の軸方向に沿って伸びており、第３の位置合せ部材４５との位置合わせに利用される。
【００４８】
第３の位置合せ部材４５は、一端部４５ａ、他端部４５ｂ、及び側壁部４５ｃを有する。一端部４５ａ及び他端部４５ｂは、開口を有している。側壁部４５ｃは、一端部４５ａと他端部４５ｂとの間に設けられており、所定の軸方向に伸びている。一端部４５ａは、発光ユニット３ａのコネクタ９のラッチ部１９ｃがはめ合わされる突起４５ｄを外側面上に備える。第１の位置合せ部材４５の内側面は、いくつかの面、例えば、第１の面４５ｅ、第１の位置決め面４５ｆ、第１のガイド面４５ｇ、第２の位置決め面４５ｈ、第２のガイド面４５ｉから構成されている。これらの面４５ｅ〜４５ｉは、一端部４５ａから他端部４５ｂへの方向に順に配置される。第１の面４５ｅは、所定の軸方向に伸びており、またフェルール４９が位置する領域を規定している。第１のガイド面４５ｇは、所定の軸方向に伸びており、また第１の位置合わせ部材４１が第３の位置合せ部材４５に挿入されるとき、第３のガイド面４１ｇと対面するように設けられている。第１の位置決め面４５ｆは、所定の軸方向に交差する平面に沿って伸びており、また第１の位置合わせ部材４１が第３の位置合せ部材４５に挿入されるとき、第１の位置合わせ部材４１の端部４１ａと対面するように設けられている。第２のガイド面４５ｉは、所定の軸方向に伸びており、また第２の位置合わせ部材４３が第３の位置合せ部材４５に挿入されるとき、第２の位置合わせ部材４３のガイド面４３ｆと対面するように設けられている。第２の位置決め面４５ｈは、所定の軸方向に交差する平面に沿って伸びており、また第２の位置合わせ部材４３が第３の位置合せ部材４５に挿入されるとき、第２の位置合わせ部材４３の端部４３ａと対面するように設けられている。第３の位置合せ部材４５の外側面は、第３のガイド面４５ｊ及び第３の位置決め面４５ｋを備える。第３のガイド面４５ｊは、所定の軸方向に伸びており、第３の位置決め面４５ｋは、所定の軸方向に交差する平面に沿って伸びている。第３のガイド面４５ｊ及び第３の位置決め面４５ｋは、第３の位置合せ部４５をコネクタ２７に位置決めするために利用される。
【００４９】
第３の位置合せ部材４５は、第１の位置合せ部材４１、第２の位置合せ部材４３、光学素子２３、並びに弾性体５３を組み立てた後に、矢印Ｊに示されるように、コネクタ２７に取り付けられると、波長選択ユニット３ｂが得られる。
【００５０】
図７は、第１の実施の形態に係わる光モジュールを示す図面である。図７において、発光ユニット３ａは波長選択ユニット３ｂに取り付けられている。図７に示された形態においては、光学部品２１の一端面２１ａはフェルール４７の端面４７ａに物理的に接触している。光モジュール１ａでは、波長選択ユニット３ｂを取り替えることにより、所望の発振波長を得るように発光ユニット３ａ及び波長選択ユニット３ｂを選ぶことができる。したがって、所望の波長の光を発生することを可能にする構造を有する光モジュール、波長選択ユニット及び発光ユニットが提供される。
【００５１】
（第２の実施の形態）
図８は、別の実施の形態に係わる光モジュールの発光ユニットを示す図面である。図９は、図８に示されたＩＩＩ−ＩＩＩ線に沿って取られ発光ユニットを示す断面図である。発光ユニット３ｃは、半導体光増幅素子６と、ハウジング８と、第１のコネクタ９と、光出力部６２とを有する。ハウジング８は、第１のガイド部材１５と、第２のガイド部材１７と、第３のガイド部材１９と、容器６０とを備える。
【００５２】
容器６０は、所定の軸に交差する前壁部６０ａ及び後壁部６０ｂ、所定の軸方向に伸びる一対の側壁部６０ｃ及び６０ｄ、底部６０ｅ、並びに蓋部６０ｆを有する。前壁部６０ａは、第１のガイド部材１５を受け入れるために開口６０ｇを有する。第１のガイド部材１５が開口６０ｇに位置決めされた後に、第１の実施の形態において説明されたように、第２のガイド部材１７と、第３のガイド部材１９と、第１のコネクタ９とが順に組み立てられる。結果的に、第１の実施の形態の波長選択ユニット３ｂとほぼ同じ構造の波長選択ユニット３ｄをコネクタ９に接続できる。後壁部６０ｂは、光出力部６２に出力光を提供するための開口６０ｈを有する。底部６０ｅ上には、素子搭載部６４が設けられており、素子搭載部６４は、開口６０ｇ及び６０ｈに高さを合わせるように設けられた搭載面６４ａを有する。素子搭載部６４は、搭載部材６６を搭載面６４ａ上に搭載している。搭載部材６６は、主面上６６ａに半導体光増幅素子６を搭載すると共に、半導体光増幅素子６に光学的に結合される光ファイバ７０を収容する収容部６６ｂを主面上６６ａに有する。半導体光増幅素子６は、半導体光増幅素子５と同様の構造を有しており、一対の端面６ａ及び６ｂを有する。半導体光増幅素子６は、端面６ａが開口６０ｇの方向を向くと共に、端面６ｂが開口６０ｈの方向を向くように向きづけられている。開口６０ｇと半導体光増幅素子６との間には、レンズ６８が位置している。
【００５３】
光出力部６２において、光ファイバ７０は、一対の端部７０ａ及び７０ｂを有する。光ファイバ７０は、また、第１の部分７０ｃ及び第２の部分７０ｄを有している。第１の部分７０ｃは、フェルール７２に収容されている。光ファイバ７０の端部７０ｂは、フェルール７２の一端面７２ａに現れている。光ファイバ７０の第２の部分７０ｄは、フェルール７２の他端面７２ｂから伸び出しており、開口６０ｈを通過して搭載部材６６の収容部６６ｂに位置している。半導体光増幅素子６の端面６ａは、収容部６６ｂに収容された光ファイバ７０の一端７０ａと光学的に結合される。フェルール７２は、割スリーブといったスリーブ７６を介してガイド部材７４に収容される。ガイド部材７４は、一端部７４ａ、他端部７４ｂ、及び側壁部７４ｃを有する。側壁部７４ｃは、一端部７４ａと他端部７４ｂとの間に設けられている。一端部７４ａ及び他端部７４ｂは開口を有する。一端部７４ａは、容器６０の後壁部６０ｂの外側面に対面する設置面７４ｄを有する。ガイド部材７４は、フェルール７２を収容する領域を提供する内側面７４ｅを有する。フェルール７２は、スリーブ７６を用いてガイド部材７４に位置決めされる。
【００５４】
図１０は、光モジュール１ｅを示す図面であり、図９におけるＩＶ−ＩＶ線に対応する断面を示している。図１０において、発光ユニット３ｃは波長選択ユニット３ｄに取り付けられている。図１０に示された形態においては、波長選択ユニット３ｄは、光ファイバ４７に替えて光ファイバ４８を備えている。光ファイバ４８は、フェルール４９の一端面に現れる一端４８ａと、波長選択ユニット３ｄ内に位置する他端部４８ｂとを備える。光モジュール１ｅは、半導体光増幅素子６と回折格子４８ｅとから構成される光共振器Ｃａｖ５を備えている。光モジュール１ｅでは、波長選択ユニット３ｄは、容器６０の一方の側に配置されており、光ファイバ７０は、容器６０の他方の側に配置されている。出力光ＬＯＵＴ２は、光ファイバ７０ａの他端７０ｂから提供される。
【００５５】
光モジュール１ｅでは、波長選択ユニット３ｄを取り替えることにより、所望の発振波長を得るように発光ユニット３ｃ及び波長選択ユニット３ｄを選ぶことができる。したがって、所望の波長の光を発生することを可能にする構造を有する光モジュール、波長選択ユニット及び発光ユニットが提供される。
【００５６】
（第３の実施の形態）
図１１は、光モジュール１ｆを示す図面であり、図９におけるＩＶ−ＩＶ線に対応する断面を示している。図１１において、発光ユニット３ｃは波長選択ユニット３ｅに取り付けられている。図１１に示された形態においては、波長選択ユニット３ｅは、第２の実施の形態に波長選択ユニット３ｄの光ファイバ４７に替えて回折格子５０を備えている。回折格子５０は、ガラススタブといった光学部品２１の一端面２１ａに物理的に接触可能な端面５０ａを有している。光モジュール１ｆは、半導体光増幅素子６と回折格子５０とから構成される光共振器Ｃａｖ６を備えている。
【００５７】
光モジュール１ｆでは、波長選択ユニット３ｅを取り替えることにより、所望の発振波長を得るように発光ユニット３ｃ及び波長選択ユニット３ｅを選ぶことができる。したがって、所望の波長の光を発生することを可能にする構造を有する光モジュール、波長選択ユニット及び発光ユニットが提供される。
【００５８】
（第４の実施の形態）
図１２（ａ）〜図１２（ｃ）、図１３（ａ）、図１３（ｂ）、図１４（ａ）及び図１４（ｂ）は、光モジュールの発光ユニットを製造する工程を示す図面である。
【００５９】
図１２（ａ）に示すように、ステムといった搭載部材１１、サブマウントといった搭載部品４、半導体光増幅素子５、サブマウントといった搭載部品３０、及び半導体受光素子３１を準備する。
【００６０】
図１２（ｂ）に示すように、半導体光増幅素子５及び搭載部品４を第１の搭載部１１ｃに搭載すると共に、半導体受光素子３１及び搭載部品３０を第２の搭載部１１ｄに搭載する。次いで、ボンディングワイヤといった接続部材３３ａ及び３３ｂを介して、半導体光増幅素子５及び半導体受光素子３１を搭載部材１１のリード端子に接続する。
【００６１】
図１２（ｃ）に示すように、レンズ保持部材１３及びレンズ３５を準備する。次いで、接着剤といった固定部材３６を用いてレンズ保持部材１３にレンズ３５を固定する。次いで、レンズ３５が取り付けられたレンズ保持部材１３を搭載部材１１上に置いて、レンズ保持部材１３を搭載部材１１に固定する。この固定は、例えばレンズ保持部材１３と搭載部材１１との間に電流を流して、レンズ保持部材１３を搭載部材１１に溶接することにより実現できる。この溶接の結果、図１３（ａ）に示されるように溶接８０が形成される。
【００６２】
図１３（ａ）に示すように、搭載部材１１及びガイド部材１５を準備する。次いで、ガイド部材１５を搭載部材１１に固定する。この固定は、ＹＡＧレーザを用いたレーザ溶接により行うことができる。この溶接の結果、図１３（ｂ）に示すように、溶接部８２が形成される。
【００６３】
図１３（ｂ）に示すように、ガイド部材１７及び１９、光学部品２１、並びにスリーブ２３を準備する。ガイド部材１７は、ガイド部材１５に取り付ける。光学部品２１及びスリーブ２３は、ガイド部材１９に取り付ける。ガイド部材１９は、光量測定ツール９０に取り付ける。光量測定ツール９０は、光ファイバといった光導波路９２を介して光パワー測定装置９４に光学的に接続されている。
【００６４】
半導体光増幅素子５に電流を与える。ガイド部材１７上にガイド部材１９を置く。ガイド部材１７は、座標軸ＳのＺ軸方向に移動することができる。ガイド部材１９は、座標軸ＳのＸ軸及びＹ軸の方向に移動することができる。光パワー測定装置９４におけるパワーが大きくなるように、ガイド部材１７及びガイド部材１９を移動させる。これにより、ガイド部材１７及びガイド部材１９をガイド部材１５に対して位置合わせする。ガイド部材１７の位置を決定した後に、ガイド部材１７をガイド部材１５に固定する。この固定は、ＹＡＧレーザを用いたレーザ溶接により行うことができる。ガイド部材１９の位置を決定した後に、ガイド部材１９をガイド部材１７に固定する。この固定は、ＹＡＧレーザを用いたレーザ溶接により行うことができる。図１４（ａ）を参照すると、それぞれの溶接により形成された溶接部８４及び溶接部８６が示されている。
【００６５】
図１４（ｂ）に示されるように、発光ユニット３ａのハウジングにコネクタ９を固定する。本実施の形態では、コネクタ９は、ガイド部材１７に取り付けられている。以上の工程により、発光ユニット３ａが完成する。
【００６６】
好適な実施の形態において本発明の原理を図示し説明してきたが、本発明は、そのような原理から逸脱することなく配置および詳細において変更され得ることは、当業者によって認識される。したがって、特許請求の範囲およびその精神の範囲から来る全ての修正および変更に権利を請求する。
【００６７】
【発明の効果】
以上説明したように、本発明の光モジュールは、半導体光増幅素子と第１のコネクタとを備える発光ユニット、光学素子と第２のコネクタとを備える波長選択ユニットを含んでおり、これ故に、所望の波長の光を発生することを可能にする構造を備えている。この光モジュールのための波長選択ユニット及び発光ユニットが提供される。
【図面の簡単な説明】
【図１】図１は、本実施の形態に係わる光モジュールを示す断面図である。
【図２】図２は、発光ユニットを構成する部品を示す図面である。
【図３】図３は、波長選択ユニットを構成する部品を示す図面である。
【図４】図４（ａ）〜図４（ｅ）は、光モジュールに適用可能な光学素子のいくつかの形態を示す図面である。
【図５】図５は、Ｉ−Ｉ線に沿って取られ発光ユニットを示す断面図である。
【図６】図６は、ＩＩ−ＩＩ線に沿って取られ波長選択ユニットを示す断面図である。
【図７】図７は、第１の実施の形態に係わる光モジュールを示す図面である。
【図８】図８は、別の実施の形態に係わる発光ユニットを示す図面である。
【図９】図９は、ＩＩＩ−ＩＩＩ線に沿って取られ発光ユニットを示す断面図である。
【図１０】図１０は、別の実施の形態に係わる光モジュールを示す図面であり、
【図１１】図１１は、更なる別の実施の形態に係わる光モジュールを示す図面である。
【図１２】図１２（ａ）〜図１２（ｃ）は、発光ユニットを製造する工程を示す図面である。
【図１３】図１３（ａ）及び図１３（ｂ）は発光ユニットを製造する工程を示す図面である。
【図１４】図１４（ａ）及び図１４（ｂ）は発光ユニットを製造する工程を示す図面である。
【符号の説明】
１ａ…光モジュール、３ａ…発光ユニット、３ｂ…波長選択ユニット、５、６…半導体光増幅素子、７…第１のハウジング、８…ハウジング、９…第１のコネクタ、２３…光学素子、１１…搭載部材、１３…レンズ保持部材、１５…第１のガイド部材、１７…第２のガイド部材、１９…第３のガイド部材、２１…光学部品、２３…光学素子、２５…第３のハウジング、２７…第２のコネクタ、２９…スリーブ、３７…シール部材、４１…第１の位置合せ部材、４３…第２の位置合せ部材、４５…第３の位置合せ部材、４７…グレーティング光ファイバ、４９…フェルール、５３…弾性体、６０…容器、６２…光出力部、６４…素子搭載部、６６…搭載部材、６８…レンズ、７０…光ファイバ、７２…フェルール、７６…スリーブ、７４…ガイド部材
【図１】
2004128039.tif 000003
【図２】
2004128039.tif 000004
【図３】
2004128039.tif 000005
【図４】
2004128039.tif 000006
【図５】
2004128039.tif 000007
【図６】
2004128039.tif 000008
【図７】
2004128039.tif 000009
【図８】
2004128039.tif 000010
【図９】
2004128039.tif 000011
【図１０】
2004128039.tif 000012
【図１１】
2004128039.tif 000013
【図１２】
2004128039.tif 000014
【図１３】
2004128039.tif 000015
【図１４】
2004128039.tif 000016